(57)【要約】【課題】電池に特殊な形状を設ける必要がなく、操作性に優れ、かつ、コストを削減する上で有利な電池格納構造を提供する。【解決手段】開閉蓋１４が開口１２０２、１９０２を開放した第１の開放位置にあるときは、ばね部材１６の湾曲した中間部分が電池収容室１２に収容された電池２０を依然として隔壁１２０４Ｆ方向に押圧する。この押圧力は、電池２０を電池収容室１２内に保持できる第１の値に設定される。開閉蓋１４が第１の開放位置よりも更に開放された第２の開放位置にあるときはばね部材１６の曲率が大きくなり、これにより電池２０に対する押圧力が零、または、前記電池収容室１２に収容された電池２０を取出せる前記第１の値よりも小さい第２の値に設定される。【選択図】　　　　図１
2004022275.tif 000002
【特許請求の範囲】
【請求項１】
深さ方向の端部に開口が設けられた電池収容室と、前記開口を閉じた全閉位置と、前記開口を開いた第１の開放位置と、前記第１の開放位置よりも前記開口をさらに開き前記電池収容室への電池の装脱を可能とした第２の開放位置をとるように構成された開閉蓋とを備えた電池格納構造であって、
前記電池収容室に収容された電池を前記深さ方向と交叉する方向から押圧するばね部材と、
前記ばね部材の電池への押圧力を変化させるばね力調節手段とが設けられ、
前記ばね力調節手段は、前記全閉位置および第１の開放位置において、前記ばね部材の電池に対する押圧力を、電池を電池収容室内に保持できる値に設定し、前記第２の開放位置において、前記ばね部材の電池に対する押圧力を零、または、前記電池収容室に収容された電池を取出せる前記値よりも小さい値に設定するように構成されている、
ことを特徴とする電池格納構造。
【請求項２】
前記ばね部材の電池に対する押圧力は、前記全閉位置と第１の開放位置とでは異なった値をとることを特徴とする請求項１記載の電池格納構造。
【請求項３】
前記ばね部材の電池に対する押圧力は、前記全閉位置と第１の開放位置とでは同一の値をとることを特徴とする請求項１記載の電池格納構造。
【請求項４】
前記ばね部材は帯板状に形成され、前記ばね部材はその長さ方向を前記電池収容室の深さ方向に合わせ、その中間部分が前記電池収容室の内部に凸状に突出するように湾曲して配設され、前記ばね部材の電池への押圧力は前記中間部分が電池に接触し押圧することで発揮されることを特徴とする請求項１記載の電池格納構造。
【請求項５】
前記ばね部材の長さ方向の一端は前記電池収容室の深さ方向の端部に取着され、前記ばね部材の長さ方向の他端は前記開閉蓋に取着され、前記ばね力調節手段は前記ばね部材の長さ方向の一端が取着された箇所および開閉蓋により構成され、前記全閉位置および第１の開放位置において、前記ばね部材の電池に対する押圧力が発揮され前記電池収容室に収容された電池を保持できるように前記ばね部材の曲率が維持され、前記第２の開放位置において前記ばね部材の曲率が第１の開放位置よりも大きくなり、前記ばね部材の電池に対する押圧力が零、または、前記電池収容室に収容された電池を取出せる前記値よりも小さい値になるように構成されていることを特徴とする請求項４記載の電池格納構造。
【請求項６】
前記ばね力調節手段は、前記開閉蓋の前記第１の開放位置と第２の開放位置との間の揺動に連動して揺動するリンク機構を備え、前記リンク機構は開閉蓋が第１の開放位置から第２の開放位置へ開く際に揺動して前記ばね部材に当接し、該ばね部材による前記電池への押圧力を弱めるように構成されていることを特徴とする請求項１記載の電池格納構造。
【請求項７】
前記電池収容室の深さ方向の端部には、前記電池のプラス電極およびマイナス電極の少なくとも一方に接触して導通するばね接点が設けられ、前記ばね接点により、前記電池は前記開口から前記電池収容室の外方に付勢され、前記全閉位置および第１の開放位置における前記ばね部材の電池に対する押圧力と、前記第２の開放位置における前記ばね部材の電池に対する押圧力は、前記ばね接点から電池が受ける押圧力を差し引いて設定されていることを特徴とする請求項１記載の電池格納構造。
【請求項８】
前記電池収容室に隣接してメモリカードを収容するメモリカード収容室が設けられ、前記開閉蓋は、前記電池収容室の開口と前記メモリカード収容室の開口の双方を開閉するように構成されていることを特徴とする請求項１記載の電池格納構造。
【請求項９】
前記開閉蓋の第１の開放位置および第２の開放位置において、前記メモリカードが挿脱できるように前記メモリカード収容室の開口が開かれることを特徴とする請求項８記載の電池格納構造。
【発明の詳細な説明】
【０００１】
【発明の属する技術分野】
本発明は、電池を装脱可能に収容する電池格納構造に関する。
【０００２】
【従来の技術】
従来から、電池を装脱可能に収容する電池収容部と、前記電池収容部の開口を開閉する開閉蓋とを有する電池格納構造があるが、このような電池格納構造においては、不用意に開閉蓋を開放すると前記電池収容部に収容されていた電池が前記開口から飛出して外部へ落下することが想定される。
このような電池の落下を防止するため、例えば特開平１１−１６２４３０号公報には、前記電池に係合凹部を設けるとともに、前記開閉蓋の開閉動作に連動する収容物係止爪を電池格納構造に設け、前記開閉蓋が半開きの状態では前記収容物係止爪が前記係合凹部と係合することで前記電池の落下を防止し、前記開閉蓋が全開の状態で前記収容物係止爪と前記係合凹部との係合が解除されて電池の取出しが可能となるように構成した機構が開示されている。
また、実開平６−１９０２３号公報には電池の落下を防止するための爪を設けた機構が開示され、特開平７−１９９３３９号公報には開閉蓋を開ける際に、途中で開閉蓋の回転がいったん止まり、電池格納蓋の形状を利用して電池の落下防止を図る機構が開示されている。
【０００３】
【発明が解決しようとする課題】
しかしながら、電池に係合凹部を設ける従来機構では、係合凹部などの特殊な形状を設けた専用の電池を用意しなくてはならないので、市販されている一次電池や二次電池を利用することができず汎用性に欠ける欠点がある。
また、電池の落下を防止するための爪を設けた従来機構は、開閉蓋の開閉操作に加えて前記爪の操作を行なわなくてはならず操作性に劣る面がある。
また、開閉蓋の形状を利用して電池の落下防止を図る従来機構は、部品点数が多く機構が複雑となるため、コストがかさむ欠点がある。
本発明は、このような実状に鑑みてなされたものであり、電池に特殊な形状を設ける必要がなく、操作性に優れ、かつ、コストを削減する上で有利な電池格納構造を提供することを目的とする。
【０００４】
【課題を解決するための手段】
本発明の電池格納構造は上記目的を達成するため、深さ方向の端部に開口が設けられた電池収容室と、前記開口を閉じた全閉位置と、前記開口を開いた第１の開放位置と、前記第１の開放位置よりも前記開口をさらに開き前記電池収容室への電池の装脱を可能とした第２の開放位置をとるように構成された開閉蓋とを備えた電池格納構造であって、前記電池収容室に収容された電池を前記深さ方向と交叉する方向から押圧するばね部材と、前記ばね部材の電池への押圧力を変化させるばね力調節手段とが設けられ、前記ばね力調節手段は、前記全閉位置および第１の開放位置において、前記ばね部材の電池に対する押圧力を、電池を電池収容室内に保持できる値に設定し、前記第２の開放位置において、前記ばね部材の電池に対する押圧力を零、または、前記電池収容室に収容された電池を取出せる前記値よりも小さい値に設定するように構成されていることを特徴とする。
【０００５】
そのため、本発明によれば、開閉蓋が全閉位置および第１の開放位置にあるときには、ばね力調節手段によってばね部材の電池に対する押圧力が電池を電池収容室内に保持できる値に設定される。これにより、電池は電池収容室内に保持される。
開閉蓋が第２の開放位置にあるときには、ばね力調節手段によってばね部材の電池に対する押圧力が零、または、電池収容室に収容された電池を取出せる前記値よりも小さい値に設定される。これにより、電池収容室に対する電池の挿脱が可能となる。
【０００６】
【発明の実施の形態】
以下、本発明による電池格納構造の実施の形態を図面に基づいて詳細に説明する。
図１は第１の実施の形態において開閉蓋が全閉位置にある電池格納構造を示す説明図、図２は開閉蓋が第１の開放位置にある電池格納構造を示す説明図、図３は開閉蓋が第２の開放位置にある電池格納構造を示す説明図である。
図１乃至図３に示すように、第１の実施の形態の電池格納構造１００は、電池２０と、メモリカード３０とが共に装脱可能に収容できるように構成されている。
図６に示すように、前記電池２０は、長さＬ１と、長さＬ１よりも小さい幅Ｗ１と、幅Ｗ１よりも小さい高さＨ１を有する直方体状に構成され、長さ方向の一端部分には不図示のプラス電極およびマイナス電極が設けられている。
図５に示すように、前記メモリカード３０は、長さＬ２と、長さＬ２よりも小さい幅Ｗ２と、幅Ｗ２よりも小さい高さＨ２を有する矩形板状に構成され、長さ方向の一端部分には不図示の電源供給用およびデータ信号供給用の接続端子が設けられている。
【０００７】
前記電池格納構造１００は、電池収容室１２、開閉蓋１４、ばね部材１６、ばね力調節手段１８、メモリカード収容室１９などで構成されている。
前記電池収容室１２およびメモリカード収容室１９は、収容壁１２０４によってそれぞれ幅、高さ、深さを有して互いに隣接して設けられ、電池収容室１２の深さ方向の端部に開口１２０２が設けられ、メモリカード収容室１９の深さ方向の端部に開口１９０２が設けられている。
前記収容壁１２０４は、幅および長さを有し互いに対向する正面壁１２０４Ａ、１２０４Ｂと、高さおよび長さを有し互いに対向する両側の側面壁１２０４Ｃ、１２０４Ｄと、前記開口１２０２に対向しこれら正面壁１２０４Ａ、１２０４Ｂ、側面壁１２０４Ｃ、１２０４Ｄの端部を接続する底壁１２０４Ｅと、前記正面壁１２０４Ａ、１２０４Ｂの間にこれら正面壁１２０４Ａ、１２０４Ｂと平行に設けられた隔壁１２０４Ｆとで構成されている。
前記電池収容室１２は、前記正面壁１２０４Ａ、側面壁１２０４Ｃ、１２０４Ｄ、底壁１２０４Ｅ、隔壁１２０４Ｆによって画成され、メモリカード収容室１９は、前記正面壁１２０４Ｂ、側面壁１２０４Ｃ、１２０４Ｄ、底壁１２０４Ｅ、隔壁１２０４Ｆによって画成されている。
したがって、前記電池収容室１２とメモリカード収容室１９は前記隔壁１２０４Ｆを挟んで互いに隣接して配置されており、前記開口１２０２と開口１９０２も隣接して配置されている。
【０００８】
前記底壁１２０４Ｅのうち、前記電池収容室１２に臨む箇所には、前記電池２０のプラス電極およびマイナス電極のそれぞれに接触して導通する２つのばね接点１２０６、１２０６が設けられている。
前記底壁１２０４Ｅのうち、前記メモリーカード収容室１９に臨む箇所には、前記メモリカード３０の接続端子と挿脱可能に構成された不図示のコネクタ部が設けられている。前記コネクタ部は、前記接続端子が挿入されることで該接続端子に導通することで前記電源やデータ信号の授受を行なうように構成されている。
【０００９】
前記電池収容室１２は、前記電池２０を、その幅方向を電池収容室１２の幅方向に合わせ、かつ、該電池２０の長さ方向を電池収容室１２の深さ方向に沿わせて開口１２０２から収容できるように構成され、前記電池２０が電池収容室１２に収容された状態で前記電池２０のプラス電極およびマイナス電極がばね接点１２０６、１２０６に接触して導通するようになっている。
前記メモリカード収容室１９は、前記メモリカード３０を、その幅方向を前記メモリカード収容室１９の幅方向に合わせ、かつ、該メモリカード３０の長さ方向をメモリカード収容室１９の深さ方向に沿わせて開口１９０２から収容できるように構成され、前記メモリカード３０が前記メモリカード収容室１９に収容された状態で前記メモリカード３０の接続端子が前記コネクタ部に挿入されるようになっている。また、メモリカード３０は該メモリカード３０の接続端子が前記メモリカード収容室１９のコネクタ部に挿入されることによって前記メモリカード収容部１９に収容された状態が保持されるように構成されている。
【００１０】
前記開閉蓋１４は、前記電池収容室１２を構成する正面壁１２０４Ａの開口１２０２寄り箇所に配設され、前記開閉蓋１４は、前記電池収容室の開口１２０２およびメモリカード収容室１９の開口１９０２を開閉できるように幅と長さを有する矩形板状に形成されている。
前記開閉蓋１４はその基部が、前記正面壁１２０４Ａの開口１２０２寄りの箇所で前記電池収容室１２の幅方向に沿って延在する支軸１４０２の回りに揺動可能に支持されている。
前記開閉蓋１４は、図１、図４に示すように、前記開口１２０２、１９０２を閉じた全閉位置と、図２に示すように、前記開口１２０２、１９０２を開いた状態の第１の開放位置と、図３に示すように、前記第１の開放位置よりも前記開口１２０２、１９０２をさらに開いた第２の開放位置とをとるように構成されている。
なお、第１の実施の形態では、開閉蓋１４が前記第１の開放位置および第２の開放位置に位置した状態で、開閉蓋１４は前記電池収容室１２への電池２０の装脱を行なえる開度で開いた状態となる。
また、開閉蓋１４の基部と、この基部に対応する側面壁１４０４Ｃ、１４０４Ｄとの間にわたって開閉蓋１４の前記第１の開放位置を係止保持するクリック機構が設けられている。このクリック機構は、例えば開閉蓋１４の基部に設けられた凹部と、前記凹部に係合可能で側面壁１４０４Ｃ、１４０４Ｄに設けられた凸部とで構成されている。
また、前記開閉蓋１４には、該開閉蓋１４が前記全閉位置に位置した状態を維持させる不図示のロック機構が設けられており、前記ロック機構のロックを解除することによって開閉蓋１４を前記全閉位置から第１の開放位置および第２の開放位置に揺動することができるように構成されている。
【００１１】
前記ばね部材１６は、幅よりも大きな寸法の長さを有する帯板状に構成され、長さ方向を前記電池収容室１２の深さ方向に合わせるとともに、幅方向を前記電池収容室１２の幅方向に合わせた状態で前記正面壁１２０４Ａの内面箇所に配設され、ばね部材１６の中間部分が前記電池収容室１２の内部に凸状に突出するように湾曲して配設されている。したがって、第１の実施の形態では、ばね部材１６の中間部分が電池２０を押圧することで、電池１０が電池収容室１２に収容された状態が保持されることになる。
前記ばね部材１６の長手方向の両端には、それぞれ円筒状に屈曲形成された円筒部が設けられ、一方の円筒部は前記開閉蓋１４の内面で支軸１４０２寄りの箇所に支軸１６０２を介して回転可能に連結されている。また、前記ばね部材１６の他方の円筒部は、前記底壁１２０４Ｅ寄りの前記正面壁１２０４Ａ箇所に支軸１６０４を介して回転可能に連結されている。
【００１２】
前記ばね力調節手段１８は、前記ばね部材１６の電池２０への押圧力を前記開閉蓋１４の開度に応じて変化させるものであり、第１の実施の形態では、前記ばね部材１６の他方の円筒部が支軸１６０４を介して連結された正面壁１２０４Ａ箇所（特許請求の範囲のばね部材の長さ方向の一端が取着された箇所に相当）と、前記開閉蓋１４とにより構成されている。
すなわち、図１に示すように、前記開閉蓋１４が前記開口１２０２、１９０２を完全に閉じた全閉位置にあるときは、前記支軸１６０２、１６０４間の距離が最も接近することにより、前記ばね部材１６の湾曲した中間部分が前記電池収容室１２に収容された電池２０を隔壁１２０４Ｆ方向に押圧するように構成されている。この押圧力は、電池２０を電池収容室１２内に保持できる値に設定される。
【００１３】
そして、図２に示すように、前記開閉蓋１４が開口１２０２、１９０２を開放した第１の開放位置にあるときは、前記支軸１６０２、１６０４間の距離が前記全閉状態のときよりも若干開き、前記ばね部材１６の湾曲した中間部分が前記電池収容室１２に収容された電池２０を依然として隔壁１２０４Ｆ方向に押圧するように構成されている。この押圧力は、前記開閉蓋１４が全閉位置に位置した状態の前記押圧力よりも弱いが、電池２０を電池収容室１２内に保持できる第１の値に設定される。すなわち、第１の実施の形態では、前記ばね部材１６の電池２０に対する押圧力は、前記開閉蓋１４の全閉位置と第１の開放位置とで異なった値をとるようになっている。なお、この開閉蓋１４の第１の開放位置は、上述した不図示のクリック機構により保持される。
【００１４】
さらに、図３に示すように、前記開閉蓋１４が前記第１の開放位置よりも更に開放された第２の開放位置にあるときは前記支軸１６０２、１６０４間の距離が前記第１の開放位置のときよりもさらに開くことで、前記ばね部材１６の曲率が大きくなり、これにより電池２０に対する押圧力が零、または、前記電池収容室１２に収容された電池２０を取出せる前記第１の値よりも小さい第２の値に設定される。
また、第１の実施の形態では、２つのばね接点１２０６、１２０６が設けられ、これら２つのばね接点により、電池２０は開口１２０２から電池収容室１２の外方に付勢されているので、前記第１の値と第２の値は、これら２つのばね接点１２０６、１２０６から電池２０が受ける押圧力を差し引いて設定される。
【００１５】
次に、上述のように構成された前記電池格納構造１００の作用について説明する。
開閉蓋の全閉位置
前記ばね部材１６の湾曲した中間部分が前記電池収容室１２に収容された電池２０を隔壁方向に押圧し、電池２０は電池収容室１２内に保持される。
開閉蓋の第１の開放位置
前記開閉蓋１４は、電池２０およびメモリカード３０をそれぞれ開口１２０２、１９０２から取出せる開度で開いている。
しかしながら、前記ばね部材１６の湾曲した中間部分が前記電池収容室１２に収容された電池２０を第１の値で隔壁方向に押圧し、電池２０は電池収容室１２内に保持されているので、電池収容室１２に対して電池２０を挿脱できず、また、電池２０が飛出すこともない。
一方、メモリカード収容室１９に対してメモリカード３０を挿脱することができる。
開閉蓋の第２の開放位置
前記開閉蓋１４は、電池２０およびメモリカード３０をそれぞれ開口１２０２、１９０２から取出せる開度で開いている。
前記ばね部材１６の中間部分が前記電池収容室１２に収容された電池２０を押圧しないか、あるいは、前記第２の値で隔壁方向に押圧しているので、電池収容室１２に対する電池２０の挿脱が可能となる。
この際、メモリカード収容室１９に対するメモリカードの挿脱も可能である。
【００１６】
以上説明したように、第１の実施の形態によれば、前記開閉蓋１４が全閉位置および第１の開放位置にあるとき、前記ばね力調節手段１８によって、前記ばね部材１６の電池２０に対する押圧力を、電池２０を電池収容室１２内に保持できる値に設定し、前記開閉蓋１４が第２の開放位置にあるとき、前記ばね力調節手段１８によって、前記ばね部材１６の電池２０に対する押圧力を零、または、前記電池収容室１２に収容された電池２０を取出せる前記値よりも小さい値に設定するように構成した。
したがって、従来と異なって、前記電池２０を電池収容室１２内に収容保持するために、特殊な形状を電池に設ける必要がないので、市販されている一次電池や二次電池を利用することが可能となり、汎用性を高める上で有利である。
また、前記開閉蓋１４の開閉に際しては、従来機構と異なって電池の落下を防止する爪の操作を行なう必要がなく、操作性に優れている。
また、前記電池２０を電池収容室１２内に収容保持するための構成は、前記ばね部材１６とばね力調節手段１８といった単純な構成で済むため電池格納構造１００のコストを削減する上で有利となる。
【００１７】
次に、第２の実施の形態について説明する。
第２の実施の形態の電池格納構造が第１の実施の形態と異なるのは、開閉蓋、ばね部材およびばね力調節手段の構成である。
図７は第２の実施の形態において開閉蓋が全閉位置にある電池格納構造を示す説明図、図８は開閉蓋が第１の開放位置にある電池格納構造を示す説明図、図９は開閉蓋が第２の開放位置にある電池格納構造を示す説明図、図１０は開閉蓋が全閉位置にある電池格納構造を示す斜視図、図１１は図１０の平面図である。
以下では、第１の実施の形態と同様の部分には図１乃至図６と同じ符号を付して説明する。
【００１８】
前記電池格納構造２００は、電池収容室１２、開閉蓋１４Ａ、ばね部材１６Ａ、ばね力調節手段１８Ａ、メモリカード収容室１９などで構成されている。
前記電池収容室１２およびメモリカード収容室１９は、第１の実施の形態と同様に、収容壁１２０４の内部で隔壁１２０４Ｆにより構成されている。
また、図７、図１０に示すようにおり、正面壁１２０４Ａの長さ方向の中間で、かつ、幅方向に間隔をおいた２箇所には、矩形状の開口１２０４Ｇが形成されている。
前記側面壁１２０４Ｃ、１２０４Ｄには、前記開閉蓋１４Ａとばね部材１６Ａを取着するための取付部材１２０６がそれぞれ膨出形成されている。
また、前記正面壁１２０４Ａの長さ方向の中間部の上方には、矩形板状の取付板１２０８が配置され、この取付板の両側部は前記２つの取付部材１２０６のそれぞれにねじＮ１によって取着されている。
【００１９】
前記開閉蓋１４Ａは、前記電池収容室の開口１２０２およびメモリカード収容室１９の開口１９０２を開閉できるように幅と長さを有する矩形板状に形成された蓋部１４０４を備え、蓋部１４０４の基部が前記正面壁１２０４Ａの開口１２０２寄りの箇所で前記電池収容室１２の幅方向に沿って延在する支軸１４０８の回りに揺動可能に支持されている。
また、開閉蓋１４Ａは、支軸１４０８を挟んで蓋部１４０４とは反対の方向に突出する第１当接部１４０６を備えている。
【００２０】
前記開閉蓋１４Ａは、図７に示すように、前記開口１２０２、１９０２を閉じた全閉位置と、図８に示すように、前記開口１２０２、１９０２を開いた状態の第１の開放位置と、図９に示すように、前記第１の開放位置よりも前記開口１２０２、１９０２をさらに開いた第２の開放位置とをとるように構成されている。
なお、第２の実施の形態においても、第１の実施の形態と同様に、開閉蓋１４Ａが前記第１の開放位置および第２の開放位置に位置した状態で、開閉蓋１４は前記電池収容室１２への電池２０の装脱を行なえる開度で開いた状態となる。
また、開閉蓋１４の支軸１４０８近傍の箇所と、該箇所に対応する取付部材１２０６との間にわたって開閉蓋１４Ａの前記第１の開放位置を係止保持するクリック機構が設けられている。このクリック機構は、例えば開閉蓋１４Ａの支軸１４０８近傍の箇所に設けられた凹部と、前記凹部に係合可能で取付部材１２０６に設けられた凸部とで構成されている。
また、前記開閉蓋１４Ａには、第１の実施の形態と同様に、開閉蓋１４Ａが前記全閉位置に位置した状態を維持させる不図示のロック機構が設けられている。
【００２１】
前記ばね部材１６Ａは、矩形板状の取付部１６０６と、該取付部１６０６の一辺の両端からそれぞれ延出され屈曲された２つのばね片１６０８とを備えて構成され、各ばね片１６０８の先端には前記電池２０に当接するクッション１６１０が取着されている。
前記ばね部材１６Ａは、前記取付部１６０６が前記取付板１２０８と重ね合わされた状態でねじＮ２によって取着され、前記各ばね片１６０８の先端のクッション１６１０が前記各開口１２０４Ｇを介し前記電池収容室１２の内部に突出するように構成されている。したがって、第２の実施の形態では、クッション１６１０を介してばね部材１６Ａが電池を押圧することで、電池が電池収容室１２に収容された状態が保持されることになる。
【００２２】
前記ばね力調節手段１８Ａは、前記ばね部材１６Ａの電池２０への押圧力を前記開閉蓋１４Ａの開度に応じて変化させるものであり、第２の実施の形態では、前記開閉蓋１４Ａの第１当接部１４０６と、アーム部材１５（特許請求の範囲のリンク機構に相当）とによって構成されている。
図７、図１０、図１１に示すように、前記アーム部材１５は、前記開閉蓋１４Ａとばね部材１６Ａとの間で前記電池収容室１２の幅方向に沿って延在する支軸１５０８の回りに揺動可能に支持され、支軸１５０８は前記取付部材１２０６に支持されている。
前記アーム部材１５は、支軸１５０８を挟んで互いに反対方向に突出する第１アーム１５０４と第２アーム１５０６とを備えている。
【００２３】
図７に示すように、前記開閉蓋１４Ａが前記開口１２０２、１９０２を完全に閉じた全閉位置にあるときは、前記アーム部材１５の第１アーム１５０４は前記開閉蓋１４Ａの第１当接部１４０６から離間し、かつ、第２アーム１５０６は前記各ばね片１６０８から離間している。これにより、前記ばね部材１６Ａの各ばね片１６０８のばね力が前記クッション１６１０を介して前記電池収容室１２に収容された電池２０を隔壁１２０４Ｆ方向に押圧するように構成されている。この押圧力は、電池２０を電池収容室１２内に保持できる第１の値に設定される。
【００２４】
そして、図８に示すように、前記開閉蓋１４Ａが開口１２０２、１９０２を開放した第１の開放位置にあるときは、前記第１アーム１５０４は前記開閉蓋１４Ａの第１当接部１４０６に近づいた状態、あるいは、当接した状態となり、第２アーム１５０６は前記各ばね片１６０８に近づいた状態、あるいは、当接した状態となる。これにより、前記各ばね片１６０８が前記電池収容室１２に収容された電池２０を隔壁１２０４Ｆ方向に押圧する押圧力は、前記第１の値に設定されたままとなる。すなわち、第２の実施の形態では、前記ばね部材１６の電池２０に対する押圧力は、前記開閉蓋１４の全閉位置と第１の開放位置とで同一の値をとるようになっている。
【００２５】
さらに、図９に示すように、前記開閉蓋１４Ａが前記第１の開放位置よりも更に開放された第２の開放位置に揺動されたときは、前記第１アーム１５０４が前記開閉蓋１４Ａの第１当接部１４０６に当接して該第１当接部１４０６を下方に揺動させる。これに連動して前記第２アーム１５０６が上方に揺動され前記各ばね片１６０８に当接してこれら各ばね片１６０８を上方に押圧する。これにより、前記各ばね片１６０８が上方に変位され、電池２０に対する押圧力が零、または、前記電池収容室１２に収容された電池２０を取出せる前記第１の値よりも小さい第２の値に設定される。
なお、第２の実施の形態においても、前記２つのばね接点１２０６、１２０６により、電池２０は開口１２０２から電池収容室１２の外方に付勢されているので、前記第１の値と第２の値は、これら２つのばね接点から電池２０が受ける押圧力を差し引いて設定される。
【００２６】
したがって、第２の実施の形態では、前記ばね力調節手段１８Ａのアーム部材１５は、前記開閉蓋１４Ａの前記第１の開放位置と第２の開放位置との間の揺動に連動して揺動し、前記アーム部材１５は前記開閉蓋１４Ａの第２の開放位置において前記ばね部材１６を押圧し、該ばね部材１６による前記電池２０への押圧力を弱めるように構成されていることになる。
【００２７】
次に、上述のように構成された前記電池格納構造２００の作用について説明する。
開閉蓋の全閉位置
前記ばね部材１６Ａの各ばね片１６０８がクッション１６１０を介して前記電池収容室１２に収容された電池２０を隔壁方向に押圧し、電池２０は電池収容室１２内に保持される。
開閉蓋の第１の開放位置
前記開閉蓋１４Ａは、電池２０およびメモリカード３０をそれぞれ開口１２０２、１９０２から取出せる開度で開き、この第１の開放位置は前記クリック機構で保持されている。
しかしながら、前記ばね部材１６Ａの各ばね片１６０８がクッション１６１０を介して前記電池収容室１２に収容された電池２０を隔壁方向に押圧し、電池２０は電池収容室１２内に保持されているので、電池収容室１２に対して電池２０を挿脱できず、また、電池２０が飛出すこともない。
一方、メモリカード収容室１９に対してメモリカード３０を挿脱することができる。
開閉蓋の第２の開放位置
前記開閉蓋１４Ａは、電池２０およびメモリカード３０をそれぞれ開口１２０２、１９０２から取出せる開度で開いている。
前記ばね部材１６Ａの各ばね片１６０８がクッション１６１０を介して前記電池収容室１２に収容された電池２０を押圧しないか、あるいは、前記第２の値で隔壁方向に押圧しているので、電池収容室１２に対する電池２０の挿脱が可能となる。
この際、メモリカード収容室１９に対するメモリカードの挿脱も可能である。
【００２８】
以上説明したように、第２の実施の形態によれば、前記開閉蓋１４Ａが全閉位置および第１の開放位置にあるとき、前記ばね力調節手段１８Ａによって、前記ばね部材１６Ａの電池２０に対する押圧力を、電池２０を電池収容室１２内に保持できる値に設定し、前記開閉蓋１４が第２の開放位置にあるとき、前記ばね力調節手段１８によって、前記ばね部材１６Ａの電池２０に対する押圧力を零、または、前記電池収容室１２に収容された電池２０を取出せる前記値よりも小さい値に設定するように構成した。
したがって、第１の実施の形態と同様に、前記電池２０を電池収容室１２内に収容保持するために、特殊な形状を電池に設ける必要がなく汎用性を高める上で有利である。
また、前記開閉蓋１４Ａの開閉に際して電池の落下を防止する爪の操作を行なう必要がなく、操作性に優れている。
また、前記電池２０を電池収容室１２内に収容保持するための構成は、前記ばね部材１６Ａとばね力調節手段１８Ａといった単純な構成で済むため電池格納構造２００のコストを削減する上で有利となる。
【００２９】
なお、上述した各実施の形態では、１つの電池を収納する電池格納構造について説明したが、本発明はこれに限定されるものではなく、２つ以上の電池を収容できるように構成してもよい。
また、この電池格納構造は、電子カメラなどの電子機器に用いられて好適なものであるが、電子機器に限らず、ライトやシェーバーなどの家庭用電気機器などにも好適に使えるものであることは勿論である。
【００３０】
【発明の効果】
以上説明したように本発明によれば、電池に特殊な形状を設ける必要がなく、操作性に優れ、かつ、コストを削減する上で有利な電池格納構造を提供することができる。
【図面の簡単な説明】
【図１】第１の実施の形態において開閉蓋が全閉位置にある電池格納構造を示す説明図である。
【図２】第１の実施の形態において開閉蓋が第１の開放位置にある電池格納構造を示す説明図である。
【図３】第１の実施の形態において開閉蓋が第２の開放位置にある電池格納構造を示す説明図である。
【図４】第１の実施の形態において開閉蓋が全閉位置にある電池格納構造を示す斜視図である。
【図５】第１の実施の形態において開閉蓋が第１の開放位置にある電池格納構造を示す斜視図である。
【図６】第１の実施の形態において開閉蓋が第２の開放位置にある電池格納構造を示す斜視図である。
【図７】第２の実施の形態において開閉蓋が全閉位置にある電池格納構造を示す説明図である。
【図８】第２の実施の形態において開閉蓋が第１の開放位置にある電池格納構造を示す説明図である。
【図９】第２の実施の形態において開閉蓋が第２の開放位置にある電池格納構造を示す説明図である。
【図１０】第２の実施の形態において開閉蓋が全閉位置にある電池格納構造を示す斜視図である。
【図１１】図１０の平面図である。
【符号の説明】
１２……電池収容室、１４、１４Ａ……開閉蓋、１５……アーム部材、１６、１６Ａ……ばね部材、１８、１８Ａ……ばね力調節手段、１９……メモリカード収容室、１００、２００……電池格納構造。
【図１】
2004022275.tif 000003
【図２】
2004022275.tif 000004
【図３】
2004022275.tif 000005
【図４】
2004022275.tif 000006
【図５】
2004022275.tif 000007
【図６】
2004022275.tif 000008
【図７】
2004022275.tif 000009
【図８】
2004022275.tif 000010
【図９】
2004022275.tif 000011
【図１０】
2004022275.tif 000012
【図１１】
2004022275.tif 000013